(57)【要約】【課題】音声通話モードと文字通話モードとのモード切り替えを、会話を中断することなく且つユーザ手動に依らずに行うことが可能な電話機を提供する。【解決手段】スピーカ２２と、文字データ表示部２５と、音声→文字変換部１６と、周囲の騒音レベルを測定する音センサ２３を有し、騒音が一定レベルに達したかどうかを判断し、達した場合には相手の音声をスピーカ２２から流すだけではなく文字に変換し文字データ表示部２５にも表示する。【選択図】        図１
2004328181.tif 000002
【特許請求の範囲】
【請求項１】
スピーカと、文字情報表示手段と、音声情報から文字情報に変換する音声情報変換手段と、周囲の雑音レベルを検出する音センサとを有する電話機であって、前記音センサで検出した周囲の騒音レベルが大きいときには、受信している音声情報を前記音声情報変換手段で文字情報に変換し、該変換後の文字情報を前記文字データ表示手段で表示することを特徴とする電話機。
【請求項２】
スピーカと、文字情報表示手段と、音声情報から文字情報に変換する音声情報変換手段と、文字情報から音声情報に変換する文字情報変換手段と、周囲の雑音レベルを検出する音センサとを有する電話機であって、前記音センサで検出した周囲の騒音レベルが大きいときには、受信している音声情報を前記音声情報変換手段で文字情報に変換し、該変換後の文字情報を前記文字データ表示手段で表示し、前記音センサで検出した周囲の騒音レベルが小さいときには、受信している文字情報を前記文字情報変換手段で音声情報に変換し、該変換後の音声情報をスピーカから出力することを特徴とする電話機。
【請求項３】
前記文字情報を前記文字データ表示手段で表示する際、音声情報も前記スピーカから出力することを特徴とする請求項１又は２記載の電話機。
【請求項４】
スピーカと、文字情報表示手段と、文字情報から音声情報に変換する文字情報変換手段と、周囲の雑音レベルを検出する音センサとを有する電話機であって、前記音センサで検出した周囲の騒音レベルが小さいときには、受信している文字情報を前記文字情報変換手段で音声情報に変換し、該変換後の音声情報をスピーカから出力することを特徴とする電話機。
【請求項５】
受信情報を文字表示するモードと音声出力するモードとの間のモード変更の際に利用する騒音レベル設定値を記憶する設定値記憶手段と、該設定値記憶手段に記憶された騒音レベル設定値を変更する設定値変更手段を有することを特徴とする請求項１乃至４のいずれか１記載の電話機。
【請求項６】
受信情報を文字表示するモードと音声出力するモードとの間のモード変更を、当該電話機が利用する電話網システムに通知するモード変更通知手段を有することを特徴とする請求項１乃至５のいずれか１記載の電話機。
【請求項７】
当該電話機と同じ電話網システムを利用する他の電話機からの、受信情報を文字表示するモードと音声出力するモードとの間のモード変更の通知を、前記電話網システムから取得するモード変更通知取得手段を有することを特徴とする請求項６記載の電話機。
【請求項８】
受信情報を文字表示するモードと音声出力するモードとの間のモード変更を、当該電話機が利用する電話網システムを介したユーザデータとして該電話網システムを利用する他の電話機に直接通知するモード変更直接通知手段を有することを特徴とする請求項１乃至７のいずれか１記載の電話機。
【請求項９】
当該電話機と同じ電話網システムを利用する他の電話機からの、受信情報を文字表示するモードと音声出力するモードとの間のモード変更の通知を、前記電話網システムを介したユーザデータとして直接取得するモード変更通知直接取得手段を有することを特徴とする請求項１乃至８のいずれか１記載の電話機。
【請求項１０】
請求項１乃至９のいずれか１記載の電話機を端末として利用する電話網システムであって、電話機が音声情報を文字情報に変換し表示を行うモードになった際、モード変更通知を前記電話機から取得するモード変更情報取得手段を有することを特徴とする電話網システム。
【請求項１１】
電話機を端末として利用する電話網システムであって、電話機が音声情報を文字情報に変換し表示を行うモードになった際、モード変更通知を前記電話機から取得するモード変更情報取得手段を有することを特徴とする電話網システム。
【請求項１２】
前記電話機と通話を行っている相手電話機も文字通話が可能な端末である場合、前記電話機のモード変更の情報を前記相手電話機に通知するモード変更情報通知手段を有することを特徴とする請求項１０又は１１記載の電話網システム。
【請求項１３】
当該電話網システムを利用する電話機中、音声通話を行っている電話機が文字通話可能であり、且つ、該電話機の相手電話機が音声情報から文字情報への変換を行って文字通話を行っている場合、当該電話網システムから前記相手電話機への音声情報伝達を文字情報伝達に切替えることを特徴とする請求項１０乃至１２のいずれか１記載の電話網システム。
【請求項１４】
当該電話網システムを利用する電話機中、音声通話を行っている複数の電話機が文字通話可能であり、且つ、該複数の電話機のうち所定数の電話機が音声情報から文字情報への変換を行って文字通話を行っている場合、当該電話網システムから電話機への音声情報伝達を文字情報伝達に切替えることを特徴とする請求項１０乃至１２のいずれか１記載の電話網システム。
【発明の詳細な説明】
【０００１】
【発明の属する技術分野】
本発明は、電話機及び電話網システムに関し、より詳細には、音声通話及び文字通話が可能な電話機、及びその電話機を端末として通話サービスを提供する電話網システムに関する。
【０００２】
【従来の技術】
近年、単なる音声通話機能だけではなく、ショートメッセージサービス、或いはパケット通話などを用いた文字通話サービスを利用できる電話機（端末）が開発され、実用化されている。また、移動体通信網の整備により、様々な環境において実際に通話が行われている。その環境の１つとして、周囲の騒音の大きい場所（例えば駅や路上等）での通話も一般的に行われており、相手の声が聞き取りにくい場面に遭遇することも数多く発生している。
【０００３】
このような状況の中でも通話を可能とするための手段として、音声を文字に切り替えて表示することを可能とする機能複合端末が提案されている（例えば、特許文献１，２参照）。
【０００４】
【特許文献１】
特開平７−１５５４５号公報
【特許文献２】
特開平９−４６４１３号公報
【０００５】
【発明が解決しようとする課題】
しかしながら、上述の特許文献１，２を含む従来技術において提案されているこれらの端末では、音声通話と文字通話を自動的に切り替える機能が存在しない。そのため、端末ユーザは、（１）まず音声が聞き取りにくくなったことを認識し、（２）音声通話を文字通話に切り替え、（３）聞き取りにくかったところを再度話すようにリクエストし会話を再開する、などという手順を踏む必要が生じてしまう。
【０００６】
また、これら端末は音声通話を文字通話に切り替えるという手段をとるため、文字通話に切り替えた後音声通話に戻るには再び切り替えの手順が必要となる。よって、周りの騒音などが変化するような状況においては頻繁に切り替えが必要になり、その結果そのたびに会話を中断することになり、切り替えが会話の妨げとなってしまうという問題点があった。
【０００７】
また、文字データ表示により相手からの会話情報を得ているのに、回線では音声情報をやり取りしている場合、文字情報をそのまま回線に入力する場合に比較してより多くの情報（音声）を伝達することになり、限りある回線資源を有効利用するという点でも問題があった。
【０００８】
本発明は、上述のごとき実情に鑑みてなされたものであり、音声通話及び文字通話が可能な電話機であって、音声通話モードと文字通話モードとのモード切り替えを、会話を中断することなく且つユーザ手動に依らずに行うことが可能な電話機、及び電話機を端末として通話サービスを提供する電話網システムを提供することをその目的とする。
【０００９】
【課題を解決するための手段】
本発明は、上述の目的を達成するために、以下の各技術手段により構成される。
第１の技術手段は、スピーカと、文字情報表示手段と、音声情報から文字情報に変換する音声情報変換手段と、周囲の雑音レベルを検出する音センサとを有する電話機であって、前記音センサで検出した周囲の騒音レベルが大きいときには、受信している音声情報を前記音声情報変換手段で文字情報に変換し、該変換後の文字情報を前記文字データ表示手段で表示することを特徴としたものである。
【００１０】
第２の技術手段は、スピーカと、文字情報表示手段と、音声情報から文字情報に変換する音声情報変換手段と、文字情報から音声情報に変換する文字情報変換手段と、周囲の雑音レベルを検出する音センサとを有する電話機であって、前記音センサで検出した周囲の騒音レベルが大きいときには、受信している音声情報を前記音声情報変換手段で文字情報に変換し、該変換後の文字情報を前記文字データ表示手段で表示し、前記音センサで検出した周囲の騒音レベルが小さいときには、受信している文字情報を前記文字情報変換手段で音声情報に変換し、該変換後の音声情報をスピーカから出力することを特徴としたものである。
【００１１】
第３の技術手段は、第１又は第２の技術手段において、前記文字情報を前記文字データ表示手段で表示する際、音声情報も前記スピーカから出力することを特徴としたものである。
【００１２】
第４の技術手段は、スピーカと、文字情報表示手段と、文字情報から音声情報に変換する文字情報変換手段と、周囲の雑音レベルを検出する音センサとを有する電話機であって、前記音センサで検出した周囲の騒音レベルが小さいときには、受信している文字情報を前記文字情報変換手段で音声情報に変換し、該変換後の音声情報をスピーカから出力することを特徴としたものである。
【００１３】
第５の技術手段は、第１乃至第４のいずれか１の技術手段において、受信情報を文字表示するモードと音声出力するモードとの間のモード変更の際に利用する騒音レベル設定値を記憶する設定値記憶手段と、該設定値記憶手段に記憶された騒音レベル設定値を変更する設定値変更手段を有することを特徴としたものである。
【００１４】
第６の技術手段は、第１乃至第５のいずれか１の技術手段において、受信情報を文字表示するモードと音声出力するモードとの間のモード変更を、当該電話機が利用する電話網システムに通知するモード変更通知手段を有することを特徴としたものである。
【００１５】
第７の技術手段は、第６の技術手段において、当該電話機と同じ電話網システムを利用する他の電話機からの、受信情報を文字表示するモードと音声出力するモードとの間のモード変更の通知を、前記電話網システムから取得するモード変更通知取得手段を有することを特徴としたものである。
【００１６】
第８の技術手段は、第１乃至第７のいずれか１の技術手段において、受信情報を文字表示するモードと音声出力するモードとの間のモード変更を、当該電話機が利用する電話網システムを介したユーザデータとして該電話網システムを利用する他の電話機に直接通知するモード変更直接通知手段を有することを特徴としたものである。
【００１７】
第９の技術手段は、第１乃至第８のいずれか１の技術手段において、当該電話機と同じ電話網システムを利用する他の電話機からの、受信情報を文字表示するモードと音声出力するモードとの間のモード変更の通知を、前記電話網システムを介したユーザデータとして直接取得するモード変更通知直接取得手段を有することを特徴としたものである。
【００１８】
第１０の技術手段は、第１乃至第９のいずれか１の技術手段の電話機を端末として利用する電話網システムであって、電話機が音声情報を文字情報に変換し表示を行うモードになった際、モード変更通知を前記電話機から取得するモード変更情報取得手段を有することを特徴としたものである。
【００１９】
第１１の技術手段は、電話機を端末として利用する電話網システムであって、電話機が音声情報を文字情報に変換し表示を行うモードになった際、モード変更通知を前記電話機から取得するモード変更情報取得手段を有することを特徴としたものである。
【００２０】
第１２の技術手段は、第１０又は第１１の技術手段において、前記電話機と通話を行っている相手電話機も文字通話が可能な端末である場合、前記電話機のモード変更の情報を前記相手電話機に通知するモード変更情報通知手段を有することを特徴としたものである。
【００２１】
第１３の技術手段は、第１０乃至第１２のいずれか１の技術手段において、当該電話網システムを利用する電話機中、音声通話を行っている電話機が文字通話可能であり、且つ、該電話機の相手電話機が音声情報から文字情報への変換を行って文字通話を行っている場合、当該電話網システムから前記相手電話機への音声情報伝達を文字情報伝達に切替えることを特徴としたものである。
【００２２】
第１４の技術手段は、第１０乃至第１２のいずれか１の技術手段において、当該電話網システムを利用する電話機中、音声通話を行っている複数の電話機が文字通話可能であり、且つ、該複数の電話機のうち所定数の電話機が音声情報から文字情報への変換を行って文字通話を行っている場合、当該電話網システムから電話機への音声情報伝達を文字情報伝達に切替えることを特徴としたものである。
【００２３】
【発明の実施の形態】
本発明に係る電話機は、スピーカ，文字情報表示手段，音声情報変換手段，音センサを有する。スピーカは音声情報を出力する手段である。文字情報表示手段は、液晶ディスプレイ及びその制御手段等で構成され、文字情報（文字データとも言える）を表示する手段であり、文字データ表示装置とも言える。音声情報変換手段は、音声情報を認識して、音声情報から文字情報に変換する手段であり、音声認識装置とも言える。また、音センサは、周囲の雑音レベルを測定し、測定した騒音レベルが所定値以上かを検出するセンサである。
【００２４】
本発明に係る電話機は、音センサで検出した周囲の騒音レベルが大きいときには、受信している音声情報を音声情報変換手段で文字情報に変換し、変換後の文字情報を文字データ表示手段で表示する。騒音レベルの大きさの判断は、受信情報を文字表示するモードと音声出力するモードとの間のモード変更の際に利用する騒音レベル設定値（所定値）により行うとよく、この電話機に騒音レベルを記憶する設定値記憶手段を備えておけばよい。
【００２５】
ここで、文字情報を文字データ表示手段で表示する際、音声情報もスピーカから出力するようにしてもよい。この電話機では、周囲の騒音レベルを測定する音センサを保持し、騒音が騒音レベル設定値に達したかどうかを自動的に判断し、達した場合には相手側音声をスピーカから流すだけでなく文字に変換し文字データ表示手段に表示するようにしている。
【００２６】
以下、本発明に係る電話機を、携帯ＴＶ電話機を例に挙げて説明する。
図１は、本発明の一実施形態に係る電話機の一構成例を示すブロック図である。
【００２７】
図１で例示する携帯ＴＶ電話機１は、マイク２１，スピーカ２２からなる音声入出力用ハンドセットと、無線通信路２を介して無線公衆網システムに接続された他のＴＶ電話機とＴＶ電話を行うための携帯ＴＶ電話インタフェース１０と、文字データを入力するペンやキーなどの文字データ入力手段と、画像入力用カメラ２６と、周囲の騒音レベルを測定・検出するための音センサ２３と、ＴＶ電話画像と各種情報を表示するための液晶ディスプレイと、を搭載しているものとする。なお、図１では、文字データ入力手段は文字データ入力部２４に備えられ、液晶ディスプレイは文字データ表示部２５及び画像表示部２７からなるものとする。
【００２８】
携帯ＴＶ電話インタフェース１０は、電話機能部１１，モード制御部１４，文字データ入出力Ｉ／Ｆ部１５，音声→文字変換部１６，画像入出力Ｉ／Ｆ部１７からなり、電話機能部１１は音声入出力Ｉ／Ｆ部１２及び回線Ｉ／Ｆ部１３からなる。モード制御部１４は切り替えレベルテーブル１４ａをもち、切り替えレベルテーブル１４ａには上述の騒音レベル設定値が格納されている。
【００２９】
マイク２１により入力された音声は、音声入出力Ｉ／Ｆ部１２を介して電話機能部１１より無線通信路２に送出される。同様に、カメラ２６から入力された映像は、画像入出力Ｉ／Ｆ部１７を介して電話機能部１１より無線通信路２に送出される。
【００３０】
次に通話相手からの音声及び映像について説明する。相手側音声は回線Ｉ／Ｆ部１３を介して、音声入出力Ｉ／Ｆ部１２よりスピーカ２２に出力されて伝えられる。相手側映像は回線Ｉ／Ｆ部１３を介して、画像入出力Ｉ／Ｆ部１７より画像表示部２７に出力されて表示される。なお、液晶ディスプレイには文字データや相手側映像だけでなく、その他の情報（電池残量や通信状態などの情報）をも表示するものとする。
【００３１】
図２は、図１の電話機における文字表示モード移行処理を説明するためのフロー図である。
ここで、通話中に周囲の騒音レベルが変化した状況を想定して、本発明の一実施形態を例示する。
【００３２】
周囲の騒音レベルを測定している音センサ２３の取得した情報は、モード制御部１４に伝えられる。モード制御部１４は、取得した騒音レベルと切り替えレベルテーブル１４ａを比較し、その設定値Ｔｈｕｐを超えたことを認識した場合（ステップＳ１）、相手側音声を文字情報に変換し表示する処理を開始するよう指示する（ステップＳ２）。電話機能部１１で取得した音声情報は、音声→文字変換部１６により文字データに変換され、文字データ入出力Ｉ／Ｆ部１５を介して文字データ表示部２５に出力される。
【００３３】
ここで、切り替えレベルテーブル１４ａの設定値Ｔｈｕｐは、変更が可能であるようにしておくことが好ましい。これは、電話機に設定値記憶手段に記憶された騒音レベル設定値を変更する設定値変更手段を備えることで実現できる。どの程度の騒音レベルで相手側からの音声が聞きにくくなるかどうかについては個人差（耳の良さ等の違い）があると考えられるが、設定値変更手段を備えることで、それら個人差も考慮に入れたモード移行処理が可能となる。このように、モード切替の閾値をユーザが設定可能とすることにより、それぞれの人により異なる聞き取りにくい騒音レベルに合わせた自動モード切替を行うことができる。
【００３４】
本実施形態によれば、通話中の移動など環境の変化により周りの騒音が大きくなり、相手側端末からの音声が聞き取りにくかった場合、自動的に文字データ表示部に相手側会話の記録が表示されるため、文字データ表示部２５に表示された会話の記録により、聞き取り難かった音声を確認することができ、相手に聞き取りにくかったこと及びその内容を再確認する必要がなくなる。また、モード切替手順をユーザが行う場合に比べて、会話を妨げることなく続けることができるようになる。
【００３５】
また、音声及び文字データ表示を行っている状態では、音声通話を行っている状態のため、その分の回線容量を必要とするが、この状態から少ない回線占有度で通話が可能な文字通話へ切り替えることが可能であり、それにより限りある回線資源を他の呼に割り当てることも可能となり、有効に利用できることになる。また、周りの騒音が大きい状態で音声→文字変換機能が有効になっている場合、相手に自分の声を確実に伝えるため大きな声で話すことが多く、それ自体が周りに迷惑になることがあるが、文字通話に切り替えることにより、大きな声で話す必要がなくなるため、周りに迷惑を掛ける状況をも回避することができる。
【００３６】
図３は、本発明の一実施形態に係る電話網システムの一構成例を示す概略図である。
図１及び図２で説明した電話機（発側端末Ａ）は、無線通信路２を介し電話網システム３を利用して、同システム３を利用する他の電話機（着側端末Ｂ）と通話を行う。ここで、発側端末Ａ（１）は、受信情報を文字表示するモードと音声出力するモードとの間のモード変更（文字表示モードから音声出力モードへの変更は他の実施形態で説明する）を、自身が利用する電話網システム３（の局側）に通知するモード変更通知手段を備えるようにしてもよい。
【００３７】
図４は、図１の電話機及び図３の電話網システムにおける一連の文字表示モード移行処理を説明するためのフロー図である。
携帯ＴＶ電話機１（例えば発側端末Ａ）が、図２におけるステップＳ１，ステップＳ２と同じ処理（ステップＳ１１，Ｓ１２）により、相手側（例えば着側端末Ｂ（１′））の音声を文字情報に変換し表示するモード（以下、文字表示モード）に変更した場合、発側端末Ａ（１）のモード制御部１４は、電話機能部１１を介して電話網システム３に対し、発側端末Ａ（１）のモードが変更されたことを通知する（ステップＳ１３）。このように、音声情報を文字情報に変換し表示を行うモードになった際、モード変更を電話網システム３に通知することで、電話網システム３側で発側端末Ａ（１）の通話モードを把握することが可能となる。
【００３８】
モード変更情報を電話機側からの通知を行うようにすることにより、電話機の通話モードを電話網システム３が把握した場合、その情報をその電話機（例えば発側端末Ａ）の相手である電話機（例えば着側端末Ｂ）に伝達することも可能となる。また、そのようなモードの切り替えを電話相手側に知らせることができるため、通話相手に自分の状況を伝えることができ、相手側にそのモードになったことにより会話のスピードが遅くなった等通話の変化の原因を伝えることができる。
【００３９】
この伝達は、電話機に次のモード変更通知取得手段を備えることによって実現できる。モード変更通知取得手段では、電話機（例えば発側端末Ａ）と同じ電話網システム３を利用する他の電話機（例えば着側端末Ｂ）からの、受信情報を文字表示するモードと音声出力するモードとの間のモード変更の通知を、電話網システム３から取得する。
【００４０】
現在の携帯電話では、留守番電話サービス或いは着信転送サービスなど（以下、付加サービス）が利用でき、これらはユーザ端末から設定したい情報（留守電ＯＮ  ｏｒ  ＯＦＦ）などを網に通知し、それを網で保持している（後述する図７の通信情報モデル３１ａのような形態で保持）。上述のモード変更通知手段及びモード変更通知取得手段は、網に一旦情報を通知し、それを相手側端末に伝える処理を行なうが、この処理は、上述の付加サービスと同様のものが想定できる。なお、付加サービスの設定については、チャット，ショートメールといったユーザデータによるやり取りではなく、網と端末の間で制御データをやり取りすることにより行われる。
【００４１】
図５は、図１の電話機における表示部の一例を示す概略図である。
図１の文字データ表示部２５及び画像表示部２７に対応するＴＶ電話端末の表示部４０は、液晶ディスプレイ等により実現される。表示部４０では、相手側画像表示領域４１内に相手の画像（映像）を表示し、文字データ表示領域４３に文字データを表示し、自画像表示領域４２に自分の画像（映像）を表示する。また、表示部４０にはアイコン４４が表示されるようになっており、図示したように相手側端末Ｂ（１′）が文字通話を行っている場合には、「文字」アイコンを表示する。相手側端末Ｂ（１′）が音声通話を行っている場合には、「音声」アイコンを表示するか、アイコンを未表示にするか行えばよい。
【００４２】
図６は、図１の電話機において相手側電話機の文字表示モードを通知する処理を説明するためのフロー図である。
端末Ａ（１）は、電話網システム３より相手側端末Ｂ（１′）のモードが変更されたことの通知を取得すると（ステップＳ２１でＹＥＳ）、アイコン４４を表示することで（ステップＳ２２）、それを端末Ａ（１）のユーザに知らせる。通話が終了した場合（ステップＳ２３でＹＥＳ）には表示処理を終了し、相手端末Ｂ（１′）が文字表示モードでなくなった場合にはステップＳ２１へ戻る。
【００４３】
図７は、本発明の他の実施形態に係る電話網システムの一構成例を示す概略図である。
電話網システム３側で発側端末Ａ（１）或いは着側端末Ｂ（１′）の通話モードを把握するには、電話網システム３に次のモード変更情報取得手段を備えてもよい。モード変更情報取得手段では、電話網システム３の端末としての電話機が音声情報を文字情報に変換し表示を行うモードになった際に、モード変更通知をその電話機から取得する。モード変更情報取得手段は、電話網システム３内の制御情報処理部３１などに備えられ、制御情報処理部３１には自身を利用して通話を行っている呼の状態及び利用している端末の能力についての情報を保持する通信情報テーブル３１ａを備えられている。電話機から取得したモード変更通知は通信情報テーブル３１ａに記憶されることとなる。
【００４４】
上述した伝達は、電話網システム３に次のモード変更情報通知手段を備えることで実現できる。モード変更情報通知手段では、電話機（例えば発側端末Ａ）と通話を行っている相手電話機（相手端末：例えば着側端末Ｂ）も文字通話が可能な端末である場合、電話機（例えば発側端末Ａ）のモード変更の情報を相手電話機（例えば発側端末Ｂ）に通知する。モード変更情報通知手段は、電話網システム３内の制御情報処理部３１などに備えられ、通信情報テーブル３１ａを備えられた電話機の呼の状態及び能力に基づいて通知を行うこととなる。本実施形態によれば、そのようなモードの切り替えを電話相手側に知らせることができるため、通話相手に自分の状況を伝えることができ、相手側にそのモードになったことにより会話のスピードが遅くなった等通話の変化の原因を伝えることができる。
【００４５】
図８は、図７の電話網システムによる文字表示モード移行処理を説明するためのフロー図である。
図８を参照し、図７の電話網システムにおいてモード変更情報を電話機から取得し他の電話機に通知する方法を説明する。
【００４６】
電話網システム３は、自身を利用して通話を行っている呼の状態、及び利用している端末の能力についての情報を保持することが可能な能力を保持している。電話網システム３は、電話機からモード移行を取得し、一方の電話機（例えば発側端末Ａ）から文字表示モードへの移行が伝えられたとき（ステップＳ３１でＹＥＳ）、通信情報テーブル３１ａにその情報を記憶する（ステップＳ３２）。次に電話網システム３は、発側端末Ａ（１）の相手側端末Ｂ（１′）の端末能力を通信情報テーブル３１ａで確認し、端末Ｂ（１′）が文字表示モード変更の通知を受信可能な場合に（ステップＳ３３でＹＥＳ）、そのモード変更を制御情報処理部３１を介して相手側端末Ｂに通知する（ステップＳ３４）。通話が終了した場合（ステップＳ３５でＹＥＳ）には文字表示モード移行処理を終了する。通話が終了していない場合（ステップＳ３５でＮＯ）には端末Ａ（１）が文字表示モードでなくなったかを確認し（ステップＳ３６）、ＹＥＳであればその旨を通信情報テーブル３１ａに記憶し（ステップＳ３７）、ＮＯであればステップＳ３１に戻る。
【００４７】
図９は、本発明の他の実施形態に係る電話網システムの一構成例を示す概略図である。
図９で例示する実施形態に係る電話網システム３は、電話機が文字表示モードになったことを電話網システム３に通知するか電話網システム３側から取得するかのいずれかによりモードの変更を電話網システム３側で認識することができる形態において、音声→文字変換部３２を備えるものとする。図９では制御情報処理部３１により電話網システム３は電話機からモード変更情報を取得する。電話網システム３は、音声通話を行っている電話機が文字通話可能であり、且つ、その電話機の相手電話機が音声情報から文字情報への変換を行って文字通話を行っている場合、音声→文字変換部３２にて、電話網システム３から相手電話機への音声情報伝達を文字情報伝達に切替える。
【００４８】
図１０は、図９の電話網システムによる文字表示モード移行処理を説明するためのフロー図である。
一方の電話機（例えば発側端末Ａ）から文字表示モードへの移行が伝えられたとき、電話網システム３は、通信情報テーブル３１ａにその情報を記憶する（ステップＳ４１）。次に電話網システム３は、発側端末Ａ（１）の相手側端末Ｂ（１′）の端末能力を通信情報テーブル３１ａで確認し、端末Ｂ（１′）が、文字表示モード変更の通知を受信可能な場合に（ステップＳ４２でＹＥＳ）、そのモード変更を制御情報処理部３１を介して相手側端末Ｂ（１′）に通知する（ステップＳ４３）。ここで、例えば、ある一定時間の保護タイマを設け、その時間だけ文字表示モードが継続した場合（ステップＳ４４でＹＥＳ）、電話網システム３の音声→文字変換部３２により音声情報を文字データに変換し、文字データを端末Ａ（１）に伝達するようにすることで（ステップＳ４５）、音声通話から文字通話に呼を切り替える。保護タイマではなく、ユーザからの切り替え指示入力などにより音声情報伝達を文字データ伝達に切り替えるようにしてもよい。本実施形態によれば、網から電話機への伝達情報を音声から文字に変更することができ、それにより回線の有効利用が可能となる。
【００４９】
また、本発明の他の実施形態として、電話網システムを利用する電話機中、音声通話を行っている複数の電話機が文字通話可能（文字表示するモードを利用可能）であり、且つ、その複数の電話機のうち所定数の電話機が音声情報から文字情報への変換を行って文字通話を行っている場合、電話網システム３から電話機への音声情報伝達を文字情報伝達に切替えるようにしてもよい。本実施形態によれば、網から電話機への伝達情報を音声から文字に変更することができ、それにより回線の有効利用が可能となる。
【００５０】
上述した各実施形態では、特別な電話網システムを介した通話モード切替の処理を例示している。本発明の他の実施形態では、電話網システムを介さずに通話端末同士がお互いに直接モード切替の情報をやり取りするようにしてもよい。この実施形態は、電話機に次のモード変更直接通知手段を備えることで実現できる。モード変更直接通知手段では、受信情報を文字表示するモードと音声出力するモードとの間のモード変更を、その電話機が利用する電話網システム（の局側）を介したユーザデータとして、直接、電話網システムを利用する他の電話機に通知する。これと併せて、電話機に次のモード変更通知直接取得手段を備えるようにしてもよい。モード変更通知直接取得手段では、その電話機と同じ電話網システムを利用する他の電話機からの、受信情報を文字表示するモードと音声出力するモードとの間のモード変更の通知を、電話網システムを介したユーザデータとして直接取得する。このように、端末同士が直接やり取りする場合については、チャット，ショートメールなど、電話網システムに依存せずにパケットデータとしてやり取りが行えるユーザデータによるものが想定できる。
【００５１】
本実施形態に係る電話機によれば、電話網システムがモード変更通知を一方の電話機から取得し他方の電話機に通知する機能を保持していない電話網システムにおいても、自端末が文字データ表示モードになったことを相手端末に通知すること、及び、相手端末が文字データ表示モードになったことを取得することが可能となる。
【００５２】
図１１は、本発明の他の実施形態に係る電話機の一構成例を示すブロック図である。
図１１で例示する電話機５は、図１に示された電話機１に、さらに文字→音声変換部５８が追加された形となっている。なお、電話機５は無線通信路６，携帯ＴＶ電話インタフェース５０，電話機能部５１，音声入出力Ｉ／Ｆ部５２，回線Ｉ／Ｆ部５３，モード制御部５４，切り替えレベルテーブル５４ａ，文字データ入出力Ｉ／Ｆ部５５，音声→文字変換部５６，マイク６１，スピーカ６２，音センサ６３，文字データ入力部６４，文字データ表示部６５，画像入力用カメラ６６，画像表示部６７を備え、電話機５におけるこれらの構成要素は電話機１における各構成要素と基本的に同様であり詳細な説明を省略する。
【００５３】
本実施形態に係る電話機は、スピーカ，文字情報表示手段，音声情報変換手段，音センサに加え、文字情報変換手段を有する。文字情報変換手段は、受信している文字情報から音声情報に変換する手段である。
【００５４】
本実施形態に係る電話機は、音センサで検出した周囲の騒音レベルが大きいときには、受信している音声情報を音声情報変換手段で文字情報に変換し、変換後の文字情報を文字データ表示手段で表示する。逆に、音センサで検出した周囲の騒音レベルが小さいときには、受信している文字情報を文字情報変換手段で音声情報に変換し、変換後の音声情報をスピーカから出力する。騒音レベルの大きさの判断は、受信情報を文字表示するモードと音声出力するモードとの間のモード変更の際に利用する騒音レベル設定値（所定値）により行うとよく、この電話機に騒音レベルを記憶する設定値記憶手段を備えておけばよい。このように、モード切替の閾値をユーザが設定可能とすることにより、それぞれの人により異なる聞き取りにくい騒音レベルに合わせた自動モード切替を行うことができる。
【００５５】
また、図１乃至１０で説明した音声→文字情報変換に関する情報の通知，取得等の処理は同様の説明を適用することで容易に可能であり、その説明を省略する。本実施形態によれば、音声が聞き取れない状態から音声が聞き取れるような騒音レベルに復帰したとき、文字情報を音声に自動的に変換して出力することができるため、網から電話機への伝達情報を音声から文字に変更することができるので回線の有効利用が可能となる上に、モード切替手順をユーザが行う場合より会話を妨げることなく続けることができる。
【００５６】
図１２は、図１１の電話機における音声拡声モード移行処理を説明するためのフロー図である。
ここで、電話網システム３と電話機の間で文字データ伝達状態となっている状況を想定する。
【００５７】
周囲の騒音レベルを測定している音センサ６３の取得した情報はモード制御部５４に伝えられる。モード制御部５４は、取得した騒音レベルと切り替えレベルテーブル５４ａを比較し、その設定値Ｔｈｄｏｗｎを下回ったことを認識した場合（ステップＳ５１）、伝達文字情報を音声に変換する処理を開始するよう指示する（ステップＳ５２）。電話機能部５１で取得した文字情報は、文字→音声変換部５８により音声に変換され、音声入出力Ｉ／Ｆ部５２を介してスピーカ６２に出力される。切り替えレベルテーブル５４ａの設定値Ｔｈｄｏｗｎについては、ユーザが変更可能である。
【００５８】
図１３は、図１１の電話機及び図９の電話網システムにおける一連の音声拡声モード移行処理を説明するためのフロー図である。
携帯ＴＶ電話機１（例えば発側端末Ａ）が、図１２におけるステップＳ５１，ステップＳ５２と同じ処理（ステップＳ６１，Ｓ６２）により、相手側（例えば着側端末Ｂ（１′））の文字を音声情報に変換し表示するモード（以下、音声出力モード）に変更した場合、発側端末Ａ（１）のモード制御部１４は、電話機能部１１を介して電話網システム３に対し、発側端末Ａ（１）のモードが変更されたことを通知する（ステップＳ６３）。このように、文字情報を音声情報に変換し出力を行うモードになった際、モード変更を電話網システム３に通知することで、電話網システム３側で発側端末Ａ（１）の通話モードを把握することが可能となる。なお、音声→文字変換に関しては図３で説明した通りである。
【００５９】
また、本発明の他の実施形態として、音センサで検出した周囲の騒音レベルが大きいときは動作せず、音センサで検出した周囲の騒音レベルが小さいときのみ、受信している文字情報を文字情報変換手段で音声情報に変換し、変換後の音声情報をスピーカから出力するようにしてもよい。
【００６０】
【発明の効果】
本発明によれば、音声通話及び文字通話が可能な電話機において、音声通話モードと文字通話モードとのモード切り替えを、会話を中断することなく且つユーザ手動に依らずに行うことが可能となる。
【図面の簡単な説明】
【図１】本発明の一実施形態に係る電話機の一構成例を示すブロック図である。
【図２】図１の電話機における文字表示モード移行処理を説明するためのフロー図である。
【図３】本発明の一実施形態に係る電話網システムの一構成例を示す概略図である。
【図４】図１の電話機及び図３の電話網システムにおける一連の文字表示モード移行処理を説明するためのフロー図である。
【図５】図１の電話機における表示部の一例を示す概略図である。
【図６】図１の電話機において相手側電話機の文字表示モードを通知する処理を説明するためのフロー図である。
【図７】本発明の他の実施形態に係る電話網システムの一構成例を示す概略図である。
【図８】図７の電話網システムによる文字表示モード移行処理を説明するためのフロー図である。
【図９】本発明の他の実施形態に係る電話網システムの一構成例を示す概略図である。
【図１０】図９の電話網システムによる文字表示モード移行処理を説明するためのフロー図である。
【図１１】本発明の他の実施形態に係る電話機の一構成例を示すブロック図である。
【図１２】図１１の電話機における音声拡声モード移行処理を説明するためのフロー図である。
【図１３】図１１の電話機及び図９の電話網システムにおける一連の音声拡声モード移行処理を説明するためのフロー図である。
【符号の説明】
１，５…電話機（発側端末Ａ）、１′…電話機（着側端末Ｂ／相手側端末Ｂ）、２，２′，６…無線通信路、３…電話網システム、１０，５０…携帯ＴＶ電話インタフェース、１１，５１…電話機能部、１２，５２…音声入出力Ｉ／Ｆ部、１３，５３…回線Ｉ／Ｆ部、１４，５４…モード制御部、１４ａ，５４ａ…切り替えレベルテーブル、１５，５５…文字データ入出力Ｉ／Ｆ部、１６，３２，５６…音声→文字変換部、１７，５７…画像入出力Ｉ／Ｆ部、２１，６１…マイク、２２，６２…スピーカ、２３，６３…音センサ、２４，６４…文字データ入力部、２５，６５…文字データ表示部、２６，６６…画像入力用カメラ、２７，６７…画像表示部、３１…制御情報処理部、３１ａ…通信情報テーブル、４０…表示部、４１…相手側画像表示領域、４２…自画像表示領域、４３…文字データ表示領域、４４…アイコン、５８…文字→音声変換部。
【図１】
2004328181.tif 000003
【図２】
2004328181.tif 000004
【図３】
2004328181.tif 000005
【図４】
2004328181.tif 000006
【図５】
2004328181.tif 000007
【図６】
2004328181.tif 000008
【図７】
2004328181.tif 000009
【図８】
2004328181.tif 000010
【図９】
2004328181.tif 000011
【図１０】
2004328181.tif 000012
【図１１】
2004328181.tif 000013
【図１２】
2004328181.tif 000014
【図１３】
2004328181.tif 000015